(57)【要約】【課題】浴室の低い天井裏に設置できて、各方向に配置された複数の他室とのダクト配管工事が容易にできる浴室換気乾燥機を提供することを目的とする。【解決手段】循環用ファン２と換気用ファン３とが本体１内に水平方向に並設され、換気風路１０の浴室側吸気口９を本体１の下面に設け、他室とダクトによって連通接続される他室側吸気口１３を本体１の３つの側面４Ａ、４Ｃ、４Ｄそれぞれに設け、３つの他室側吸気口１３のうち少なくともヒーター収納部５が配設された側の側面４Ａに設けられる他室側吸気口１３に連通する換気風路１０がヒーター収納部５の上方の空間を通って形成されたことにより、本体１を浴室Ｂの低い天井裏に設置できて、浴室Ｂに対し各方向に配置された複数の他室とのダクト接続工事が容易となる。【選択図】図２
2010038425.tif 000002
【特許請求の範囲】
【請求項１】
循環用ファンにて浴室から吸い込んだ空気を加熱手段を介して再び前記浴室に吹き出す循環風路と、換気用ファンにて前記浴室および浴室以外の他室の空気を吸い込んで屋外に排出する換気風路とを箱状の本体内に形成した浴室換気乾燥機であって、前記循環用ファンと換気用ファンとは前記本体内に水平方向に並設され、前記加熱手段は、前記本体の一側面近傍の下面側に凹状に形成され前記循環風路の吹出口を有する加熱手段収納部に配設され、前記換気風路は、浴室側吸気口を前記本体の下面に設け、前記他室とダクトによって連通接続される他室側吸気口を前記本体の３つの側面それぞれに設け、前記３つの他室側吸気口のうち少なくとも前記加熱手段収納部近傍の側面に設けられる他室側吸気口に連通する換気風路が前記加熱手段収納部の上方の空間を通って形成されたことを特徴とする浴室換気乾燥機。
【請求項２】
換気用ファンのファンケーシングを本体の下面側から覆い、他室側吸気口とファンケーシングのファン吸込口を連通する換気風路を形成する換気風路形成カバーを設け、前記換気風路形成カバーに浴室側吸気口を形成し、前記浴室側吸気口は前記ファン吸込口に対し、平面視重ならない箇所に位置する請求項１に記載の浴室換気乾燥機。
【請求項３】
浴室側吸気口を換気風路形成カバーの下面から所定の寸法奥まった位置に水平方向に設けた請求項２に記載の浴室換気乾燥機。
【請求項４】
浴室側吸気口を換気風路形成カバーの下面から垂直上方向に形成された垂直面に設けた請求項２に記載の浴室換気乾燥機。
【請求項５】
浴室側吸気口に風量調節手段を設けた請求項２〜４のいずれかに記載の浴室換気乾燥機。
【請求項６】
風量調節手段は、複数枚のシャッター板を連動して開閉し、浴室側吸気口を開閉するとともに、前記シャッター板の開き角度を調節して風量調節する構成とした請求項５に記載の浴室換気乾燥機。
【請求項７】
ファンケーシングの下面と換気風路形成カバーの裏面との間に、他室からファン吸込口への吸気流を整流して案内する複数個のガイドリブを設けた請求項２に記載の浴室換気乾燥機。
【請求項８】
ファンケーシングの下面に換気風路形成カバーをねじ止めするために設けたねじボスの湾曲面をガイドリブの一部として形成した請求項７に記載の浴室換気乾燥機。
【請求項９】
複数個のガイドリブの高さを、３つの側板に設けた他室側吸気口と連通する３方向からの換気風路のそれぞれの吸気流に適した高さに形成した請求項７または８に記載の浴室換気乾燥機。
【請求項１０】
複数個のガイドリブが、３つの側板に設けた他室側吸気口と連通する３方向からの換気風路の間仕切りとなる請求項７または８に記載の浴室換気乾燥機。
【発明の詳細な説明】
【技術分野】
【０００１】
本発明は、浴室の天井裏に本体を埋め込んで設置され、浴室の換気をするとともに浴室以外の他室の換気もする換気用ファンを備えた浴室換気乾燥機に関する。
【背景技術】
【０００２】
従来、この種の浴室換気乾燥機としては、箱状の本体内に換気風路と浴室内乾燥用の循環風路とを２段重ねに形成して、本体の複数の側面に、浴室に対し各方向に配置された他室とダクトによって連通接続される他室側吸気口が設けられたものがある（例えば、特許文献１参照）。
【０００３】
また、換気用ファンと循環用ファンを本体内に水平方向に並設し、本体の側面に他室側吸気口を複数個設けたものがある（例えば、特許文献２参照）。
【特許文献１】特開２００１−１０８２７３号公報
【特許文献２】特開平１０−２３８８３９号公報
【発明の開示】
【発明が解決しようとする課題】
【０００４】
このような従来の浴室換気乾燥機では、例えば、特許文献１に記載のものでは、本体が２段重ねのため高さが高くなってしまい、浴室の天井裏に設置する浴室換気乾燥機では、浴室の天井裏には高い空間がなく、設置できない場合がある。
【０００５】
また、特許文献２に記載のものは、本体の高さは低くなるが、本体内に循環用ファンと換気用ファンが水平方向に並設されているので、本体内に換気風路を形成できる箇所が限られ、他室側吸気口を設けることができる本体側面も限られてくる。
【０００６】
したがって、浴室に対する他室のレイアウトによっては、ダクト配管工事が困難であったり、手間がかかったりして、製品設置時の施工性が悪く、また、ダクトを大きく曲折して配管することにより他室からの吸気特性が悪くなり、浴室と他室との換気風量のバランスが悪くなることもあるという課題がある。
【０００７】
本発明は、このような従来の課題を解決するものであり、浴室の低い天井裏に設置できて、各方向に配置された複数の他室とのダクト配管工事が容易にできるとともに、浴室と他室との換気風量のバランスが適切に得られる浴室換気乾燥機を提供することを目的とする。
【課題を解決するための手段】
【０００８】
本発明の浴室換気乾燥機は、上記目的を達成するために、循環用ファンにて浴室から吸い込んだ空気を加熱手段を介して再び前記浴室に吹き出す循環風路と、換気用ファンにて前記浴室および浴室以外の他室の空気を吸い込んで屋外に排出する換気風路とを箱状の本体内に形成した浴室換気乾燥機であって、前記循環用ファンと換気用ファンとは前記本体内に水平方向に並設され、前記加熱手段は、前記本体の一側面近傍の下面側に凹状に形成され前記循環風路の吹出口を有する加熱手段収納部に配設され、前記換気風路は、浴室側吸気口を前記本体の下面に設け、前記他室とダクトによって連通接続される他室側吸気口を前記本体の３つの側面それぞれに設け、前記３つの他室側吸気口のうち少なくとも前記加熱手段収納部近傍の側面に設けられる他室側吸気口に連通する換気風路が前記加熱手段収納部の上方の空間を通って形成されたものである。
【０００９】
また、他の手段は、換気用ファンのファンケーシングを本体の下面側から覆い、他室側吸気口とファンケーシングのファン吸込口を連通する換気風路を形成する換気風路形成カバーを設け、前記換気風路形成カバーに浴室側吸気口を形成し、前記浴室側吸気口は前記ファン吸込口に対し、平面視重ならない箇所に位置するものである。
【００１０】
また、他の手段は、浴室側吸気口を換気風路形成カバーの下面から所定の寸法奥まった位置に水平方向に設けたものである。
【００１１】
また、他の手段は、浴室側吸気口を換気風路形成カバーの下面から垂直上方向に形成された垂直面に設けたものである。
【００１２】
また、他の手段は、浴室側吸気口に風量調節手段を設けたものである。
【００１３】
また、他の手段は、風量調節手段は、複数枚のシャッター板を連動して開閉し、浴室側吸気口を開閉するとともに、前記シャッター板の開き角度を調節して風量調節する構成としたものである。
【００１４】
また、他の手段は、ファンケーシングの下面と換気風路形成カバーの裏面との間に、他室からファン吸込口への吸気流を整流して案内する複数個のガイドリブを設けたものである。
【００１５】
また、他の手段は、ファンケーシングの下面に換気風路形成カバーをねじ止めするために設けたねじボスの湾曲面をガイドリブの一部として形成したものである。
【００１６】
また、他の手段は、複数個のガイドリブの高さを、３つの側板に設けた他室側吸気口と連通する３方向からの換気風路のそれぞれの吸気流に適した高さに形成したものである。
【００１７】
また、他の手段は、複数個のガイドリブが、３つの側板に設けた他室側吸気口と連通する３方向からの換気風路の間仕切りとなるものである。
【発明の効果】
【００１８】
本発明によれば、循環用ファンと換気用ファンとは本体内に水平方向に並設され、加熱手段は、本体の一側面近傍の下面側に凹状に形成された加熱手段収納部に配設され、換気風路は、浴室側吸気口を本体の下面に設け、他室とダクトによって連通接続される他室側吸気口を本体の３つの側面それぞれに設け、３つの他室側吸気口のうち少なくとも加熱手段収納部近傍の側面に設けられる他室側吸気口に連通する換気風路が加熱手段収納部の上方の空間を通って形成されたことにより、本体を浴室の低い天井裏に設置できて、浴室に対し各方向に配置された複数の他室とのダクトト接続工事が容易となり、施工性が向上するという効果のある浴室換気乾燥機を提供することができる。
【００１９】
また、換気用ファンのファンケーシングを本体の下面側から覆い、他室側吸気口とファンケーシングのファン吸込口を連通する換気風路を形成する換気風路形成カバーを設け、換気風路形成カバーに浴室側吸気口を形成し、浴室側吸気口はファン吸込口に対し、平面視重ならない箇所に位置することにより、浴室からの吸気風量と他室からの吸気風量の適切なバランスをとることができ、また、ファン吸込口から発生する騒音を低減することができる。
【００２０】
また、浴室側吸気口を換気風路形成カバーの下面から所定の寸法奥まった位置に水平方向に設けたことにより、浴室からの吸気風量は他室よりも多くすることが要求されるので、浴室からの吸気性能を確保したうえで他室との適切なバランスをとることができる。
【００２１】
また、浴室側吸気口を換気風路形成カバーの下面から垂直上方向に形成された垂直面に設けたことにより、浴室において受ける換気用ファンからの騒音を低減することができる。
【００２２】
また、浴室側吸気口に風量調節手段を設けたことにより、浴室からの吸気風量と他室からの吸気風量のバランスを、適切なものに自在にできる。
【００２３】
また、風量調節手段は、複数枚のシャッター板を連動して開閉し、浴室側吸気口を開閉するとともに、シャッター板の開き角度を調節して風量調節する構成としたことにより、浴室使用時の浴室ドアを閉めた時にも常時換気が可能となり、また、浴室からの吸気風量の調節を小さなスペースで行うことができる。
【００２４】
また、ファンケーシングの下面と換気風路形成カバーの裏面との間に、他室からファン吸込口への吸気流を整流して案内する複数個のガイドリブを設けたことにより、換気用ファンから発生する騒音を低減することができる。
【００２５】
また、ファンケーシングの下面に換気風路形成カバーをねじ止めするために設けたねじボスの湾曲面をガイドリブの一部として形成したことにより、本来騒音発生の一因となっていたねじボスを騒音低減の一部として利用し、騒音を低減することができる。
【００２６】
また、複数個のガイドリブの高さを、３つの側板に設けた他室側吸気口と連通する３方向からの換気風路のそれぞれの吸気流に適した高さに形成したことにより、ファン吸込口への吸気流がより整流されて、換気用ファンから発生する騒音をさらに低減することができる。
【００２７】
また、複数個のガイドリブが、３つの側板に設けた他室側吸気口と連通する３方向からの換気風路の間仕切りとなることにより、他室からの換気風路のファン吸込口における通気抵抗が減少して、さらに騒音を低減することができる。
【発明を実施するための最良の形態】
【００２８】
本発明の請求項１記載の浴室換気乾燥機は、循環用ファンと換気用ファンとは本体内に水平方向に並設され、加熱手段は、前記本体の一側面近傍の下面側に凹状に形成され前記循環風路の吹出口を有する加熱手段収納部に配設され、換気風路は、浴室側吸気口を前記本体の下面に設け、他室とダクトによって連通接続される他室側吸気口を前記本体の３つの側面それぞれに設け、前記３つの他室側吸気口のうち少なくとも前記加熱手段収納部近傍の側面に設けられる他室側吸気口に連通する換気風路が前記加熱手段収納部の上方の空間を通って形成されたものであり、本体の高さが換気用ファンあるいは循環用ファン１台分の高さとなり、また、他室側吸気口は本体の３つの側面のそれぞれに設けられるので、３つの側面が向く方向にダクトを容易に配管することができるという作用を有する。
【００２９】
また、請求項２記載の浴室換気乾燥機は、換気用ファンのファンケーシングを本体の下面側から覆い、他室側吸気口とファンケーシングのファン吸込口を連通する換気風路を形成する換気風路形成カバーを設け、前記換気風路形成カバーに浴室側吸気口を形成し、前記浴室側吸気口は前記ファン吸込口に対し、平面視重ならない箇所に位置するものであり、浴室側吸気口とファン吸込口の位置が重ならないようにずれることによって、騒音を低減することができるとともに、浴室から直接吸気する浴室側吸気口側の通気抵抗が増して、浴室からの吸気風量が他室からダクトを介して吸気する風量に対し多くなり過ぎないように寄与することとなる。
【００３０】
また、請求項３記載の浴室換気乾燥機は、浴室側吸気口を換気風路形成カバーの下面から所定の寸法奥まった位置に水平方向に設けたものであり、本体の下面に装着する化粧パネルと換気風路形成カバーに形成する浴室側吸気口との間に、換気風路としての空間が確保できる。
【００３１】
また、請求項４記載の浴室換気乾燥機は、浴室側吸気口を換気風路形成カバーの下面から垂直上方向に形成された垂直面に設けたものであり、換気用ファンから発生する騒音は、垂直面に設けられ水平方向に向く浴室側吸気口から浴室へ伝播していくこととなる。
【００３２】
また、請求項５記載の浴室換気乾燥機は、浴室側吸気口に風量調節手段を設けたものであり、浴室からの吸気風量と他室からの吸気風量のバランスを、浴室からの吸気風量を風量調節手段によって調整することにより、自在に調節できる。
【００３３】
また、請求項６記載の浴室換気乾燥機は、風量調節手段は、複数枚のシャッター板を連動して開閉し、浴室側吸気口を開閉するとともに、前記シャッター板の開き角度を調節して風量調節する構成としたものであり、浴室以外の他室を介して建物の常時換気をする場合に、浴室からの吸気を遮断して行うことができ、また、１枚のシャッター板の開閉に必要な寸法で、浴室側吸気口の開閉および吸気風量調節ができる。
【００３４】
また、請求項７記載の浴室換気乾燥機は、ファンケーシングの下面と換気風路形成カバーの裏面との間に、他室からファン吸込口への吸気流を整流して案内する複数個のガイドリブを設けたものであり、他室側吸気口からの換気風路のファン吸込口における通気抵抗が減少し、換気用ファンの回転数を下げることができる。
【００３５】
また、請求項８記載の浴室換気乾燥機は、ファンケーシングの下面に換気風路形成カバーをねじ止めするために設けたねじボスの湾曲面をガイドリブの一部として形成したものであり、本来通気抵抗となるねじボスが、その湾曲面をガイドリブの一部として作用させることができる。
【００３６】
また、請求項９記載の浴室換気乾燥機は、複数個のガイドリブの高さを、３つの側板に設けた他室側吸気口と連通する３方向からの換気風路のそれぞれの吸気流に適した高さに形成したものであり、３方向の換気風路を経て他室から吸気するそれぞれの吸気流に応じた高さのガイドリブによって、吸気流がより整流されて通気抵抗が減少し、換気用ファンの回転数を下げることができる。
【００３７】
また、請求項１０記載の浴室換気乾燥機は、複数のガイドリブが、３つの側板に設けた他室側吸気口と連通する３方向からの換気風路の間仕切りとなるとしたものであり、３方向からの換気風路を経て他室から吸気される吸気流のそれぞれにおいて、互いに干渉して流れが乱れることがなくなくなり、スムーズにファン吸込口に吸込まれていくこととなる。
【００３８】
以下、本発明の実施の形態について、図１〜図７を参照しながら説明する。
【００３９】
（実施の形態１）
図１〜図４に示すように、浴室Ｂの天井裏に挿入して設置され下面が開口した箱状の本体１内に、循環用ファン２と換気用ファン３とを水平方向に並べて設け、本体１内の側面４Ａ近傍に下方側を開口した凹状のヒーター収納部５が形成され、ヒーター収納部５に加熱手段であるヒーター６が収納され、また、ヒーター収納部５の上面には循環用ファン２の吐出口（図示せず）と連通する吹出口７が形成されている。
【００４０】
換気用ファン３のファンケーシング３ａは本体１の下面側から換気風路形成カバー８で覆われ、換気風路形成カバー８には浴室Ｂに向いて開口した浴室側吸気口９が形成され、この浴室側吸気口９とファンケーシング３ａのファン吸込口３ｂとを連通して浴室側から吸気する換気風路１０を形成している。なお、図４に示すように、浴室側吸気口９は、ファン吸込口３ｂに対し平面視重ならない箇所にずれて位置し、さらに、換気風路形成カバー８の下面に対し、本体１の下面側に装着される化粧パネル１１との間に換気風路１０が確保できるように奥まった位置に形成されている。また、本体１の側面４Ｂに換気用ファン３の吐出口（図示せず）と連通する排気口１８が形成されるとともに、３つの側面４Ａ、４Ｃ、４Ｄのそれぞれに、浴室以外のたとえば洗面所、トイレ等の他室とダクトを介して連通する他室側吸気口１３が形成されている。上記換気風路形成カバー８によって３つの他室側吸気口１３とファン吸込口３ｂを連通する他室側から吸気する換気風路１０を形成している。
【００４１】
そして、本体１内のヒーター収納部５の側面４Ｄ側上方に空間１２を設け、この空間１２を通して、３つの他室側吸気口１３のうちヒーター収納部５近傍の側面４Ａに形成した他室側吸気口１３と連通する換気風路１０を形成している。このように換気風路１０を形成することによって、３つの側面４Ａ、４Ｃ、４Ｄのそれぞれに他室側吸気口１３を設けることができる。
【００４２】
また、本体１内には、循環用ファン２によって浴室Ｂ内の空気を化粧パネル１１の吸込口１１ａから吸い込んで、ヒーター６を介して再び浴室Ｂ内に化粧パネル１１の吐出口１１ｂから吹き出す循環風路（図示せず）を形成している。
【００４３】
そして、図４および図５に示すように、浴室側吸気口９には、複数枚のシャッター板１５ａをステッピングモーター（図示せず）で連動して開閉し、ステッピングモーターの回動角度を設定してシャッター板１５ａの開き角度を所定の角度にし、浴室Ｂから吸気する風量を調節する風量調節手段１５が設けられている。
【００４４】
また、図３に示すように、ファンケーシング３ａの下面には、他室側吸気口１３からの吸気流を整流してファン吸込口３ｂへ案内するガイドリブ１６が複数個設けられている。
【００４５】
他室側吸気口１３は３つの側面４Ａ、４Ｃ、４Ｄに設けられているが、これら３つの他室側吸気口１３からの換気風路１０を経て吸気されるそれぞれの吸気流に対し、その風量、流れ方向等から、複数個のガイドリブ１６の高さをそれぞれの吸気流に適した高さにしている。
【００４６】
また、複数のガイドリブ１６は、３つの換気風路１０からの吸気流が互いに干渉しないように配置された間仕切りとなっている。
【００４７】
また、図６に示すように、換気風路形成カバー８はファンケーシング３ａの下面に設けたねじボス１７にねじ止めすることによって取り付けられているが、ねじボス１７はガイドリブ１６の近くに位置し、ねじボス１７の外表面のなす湾曲面をガイドリブ１６の１つとして設けている。
【００４８】
上記構成の浴室換気乾燥機は、設置工事として、浴室Ｂの天井裏に本体１を埋め込んで設置し、浴室Ｂ以外の他室と本体１の他室側吸気口１３とをダクトによって連通接続する配管工事が行われる。
【００４９】
この設置工事において、本体１は、本体１内に循環用ファン２と換気用ファン３とを水平方向に並設した構成としているので、本体１の高さは循環用ファン２あるいは換気用ファン３の略１台分の高さとなり、低い天井裏に埋め込むことができ、また、本体１のヒーター収納部５が設けられている側の側面４Ａを含んで３つの側面４Ａ、４Ｃ、４Ｄそれぞれに他室側吸気口１３が形成されているので、住宅内の室のレイアウトによって、換気を必要とする他室に向く方向の他室側吸気口１３を選んで配管工事をすることにより、ダクトを容易に配管することができるともに、ダクトを大きく曲折して配管することがなくなるので、他室からの吸気性能の低下を招くことがなくなる。
【００５０】
浴室換気乾燥機の設置を終えると、浴室Ｂの必要換気風量と他室の合計必要換気風量とから、浴室Ｂからの吸気風量と他室からの吸気風量とのバランスが適切なものとなるように、風量調節手段１５のステッピングモーターの回動角度をシャッター板１５ａの開き角度と対応した所定の角度になるように操作することによって、シャッター板１５ａの開き角度を設定する。
【００５１】
風量調節手段１５は、上記の開き角度が設定された位置までの開放、および、後述の常時換気時の閉鎖の開閉が、複数のシャッター板１５ａによる開閉で行われるので、この開閉動作が小さいスペースで行え、開閉動作のために本体１の高さを高くしたり、あるいは、化粧パネル１１を厚くしたりする必要がない。
【００５２】
そして、上記のように設置され調節された浴室換気乾燥機を運転すると、循環用ファン２によって浴室Ｂ内に温風を吹き出す循環流を形成するとともに、換気用ファン３によって浴室Ｂの空気を換気風路形成カバー８の浴室側吸気口９から、および、他室の空気を本体１の側面４Ａ、４Ｃ、４Ｄの他室側吸気口１３から、それぞれ吸気して屋外に排出する。この換気運転時、浴室側吸気口９とファンケーシング３ａのファン吸込口３ｂとは平面視重ならないように位置しているので、浴室側吸気口９とファン吸込口３ｂとが対向している場合と比べて、ファン吸込口３ｂから浴室Ｂへ伝播してくる騒音を低減することができ、また、通気抵抗が若干増して、浴室Ｂから直接吸気する吸気風量が他室からダクトを介して吸気する吸気風量に対し、多くなり過ぎないように寄与する一構成とすることができる。
【００５３】
また、浴室側吸気口９は換気風路形成カバー８の下面から奥まった位置に形成され、化粧パネル１１との間に換気風路１０が確保されているので、他室に比べて大きな換気風量を必要とする浴室側の吸気性能を、本体１を高くしたり化粧パネル１１を厚くしたりすることなく、確保することができる。
【００５４】
一方、他室からの吸気流は、ファンケーシング３ａの下面に沿う方向に流れてファン吸込口３ｂに吸い込まれていくが、ファンケーシング３ａの下面に設けられたガイドリブ１６によって、その流れが整流されてファン吸込口３ｂに案内され、また、ガイドリブ１６はその気流に適した高さにされているので整流がより効果的になり、さらに、ガイドリブ１６は各換気風路１０の吸気流の間仕切りとなる位置に配置されているので、吸気流どうしが干渉することがなくなり、このようなことから、他室とダクトを介して連通接続された他室側吸気口１３からファン吸込口３ｂへの換気風路１０における通気抵抗が減少して他室からの吸気特性が向上し、浴室Ｂとの換気風量の適切なバランスがとり易くなる。その結果、換気用ファン３の回転数を下げて騒音を低減することができる。また、換気風路形成カバー８をねじ止めするためのねじボス１７は、本来通気抵抗となるものであるが、その湾曲面も騒音を低減させる一因として寄与している。
【００５５】
そして、浴室Ｂにおいて、入浴中は換気すると換気流で入浴者が不快に感じるので、入浴中は、浴室換気乾燥機を住宅の常時換気として運転する場合、風量調節手段１５を閉じて浴室Ｂからの吸気を止め、他室を介して常時換気をする。なお、常時換気をしていないときでも、入浴中に浴室からの吸気を風量調節手段１５によって止める操作は当然可能なものである。
【００５６】
なお、本実施の形態１では、ガイドリブ１６をファンケーシング３ａの下面に設けた構成について示したが、換気風路形成カバー８の裏面のファンケーシング３ａ下面と対向する箇所に設けても、同様の作用効果を奏する。
【００５７】
（実施の形態２）
本発明の実施の形態２の浴室換気乾燥機は、図７に示すように、上記実施の形態１の浴室換気乾燥機に対し、浴室側吸気口９Ａを、換気風路形成カバー８Ａの下面から垂直上方向に形成した垂直面８ａに設けた点に特徴がある。
【００５８】
上記構成により、ファン吸込口３ｂから発生し浴室側吸気口９Ａに伝播してくる騒音は、浴室側吸気口９Ａが垂直面８ａに設けられているので、水平方向に向かって伝播していき、浴室Ｂにおいて受ける騒音は低減することとなる。
【産業上の利用可能性】
【００５９】
本発明に係る浴室換気乾燥機は、１台の機器から複数の室へのダクト配管が容易にできるとともに、本体を設置した室と他室との換気風量のバランスが適切に得られ、本発明は１台の機器で住宅の換気をする換気システムにも適用できる。
【図面の簡単な説明】
【００６０】
【図１】本発明の実施の形態１の浴室換気乾燥機を示す正面視構成図
【図２】同浴室換気乾燥機の側面視構成図
【図３】同浴室換気乾燥機の換気風路形成カバー取り外し時の下方からの斜視図
【図４】同浴室換気乾燥機の断面図
【図５】同浴室換気乾燥機の換気風路形成カバーの下方からの斜視図
【図６】同浴室換気乾燥機の換気用ファンのファン吸込口方向の斜視図
【図７】本発明の実施の形態２の浴室換気乾燥機の換気風路形成カバーの要部斜視図
【符号の説明】
【００６１】
１      本体
２      循環用ファン
３      換気用ファン
３ａ    ファンケーシング
３ｂ    ファン吸込口
４Ａ    側面
４Ｃ    側面
４Ｄ    側面
５      ヒーター収納部
６      ヒーター
７      吹出口
８      換気風路形成カバー
８Ａ    換気風路形成カバー
８ａ    垂直面
９      浴室側吸気口
９Ａ    浴室側吸気口
１０    換気風路
１２    空間
１３    他室側吸気口
１５    風量調節手段
１５ａ  シャッター板
１６    ガイドリブ
１７    ねじボス
【図１】
2010038425.tif 000003
【図２】
2010038425.tif 000004
【図３】
2010038425.tif 000005
【図４】
2010038425.tif 000006
【図５】
2010038425.tif 000007
【図６】
2010038425.tif 000008
【図７】
2010038425.tif 000009